(57)【要約】【課題】  動作速度の向上した光記録再生装置用等化装置およびその等化方法の提供。【解決手段】  入力信号のシンボル間干渉のプレカーシブを除去するフィードフォワードフィルタを有するＦＦ部と、前記シンボル間干渉のポストカーシブを予測して出力するフィードバックフィルタを有するＦＢ部と、前記ＦＦ部および前記ＦＢ部の出力信号を加算してシンボル間干渉を除去する第１および第２の加算部と、前記第１の加算部の出力信号を所定のレベルに決定し、決定された信号を前記ＦＢ部にフィードバックするレベル決定部と、前記第２の加算部でシンボル間干渉が除去された信号をトレリス構造方式およびツリー構造方式のうちの少なくとも１つによって所定の信号として出力する信号検出部とを備える光記録再生装置用等化装置およびその等化方法。【選択図】      図４
2004227755.tif 000002
【特許請求の範囲】
【請求項１】
入力信号のシンボル間干渉のうちのプレカーシブを除去するフィードフォワードフィルタを有するＦＦ部と、
前記シンボル間干渉のうちのポストカーシブを予測してその予測結果を出力するフィードバックフィルタを有するＦＢ部と、
前記ＦＦ部および前記ＦＢ部の出力信号を加算してシンボル間干渉を除去する第１の加算部および第２の加算部と、
前記第１の加算部の出力信号のレベルを所定のレベルに決定し、レベルが決定された信号を前記ＦＢ部にフィードバックするレベル決定部と、
前記第２の加算部でシンボル間干渉が除去された信号をトレリス構造方式およびツリー構造方式のうちの少なくともいずれか１つにより所定の信号として出力する信号検出部と、
を備えることを特徴とする光記録再生装置の等化装置。
【請求項２】
前記第１の加算部の出力信号と前記レベル決定部からの前記レベルが決定された信号を用いて等化誤り値を算出する誤り算出部をさらに備え、
前記ＦＦ部および前記ＦＢ部は、前記等化誤り値に基づいて前記フォワードフィルタおよび前記フィードバックフィルタのそれぞれのタップ係数をアップデートすることを特徴とする請求項１に記載の光記録再生装置の等化装置。
【請求項３】
前記信号検出部は、
前記光記録再生装置の基準クロック周期に対応する所定個数の遅延素子を有し、
前記遅延素子によって、前記信号検出部の出力信号は、一定時間遅延して出力され、一定時間経過した後は、前記基準クロック周期に同期を合わせて出力されることを特徴とする請求項１に記載の光記録再生装置の等化装置。
【請求項４】
前記トレリス構造方式および前記ツリー構造方式は、所定の決定遅延（τ）を有し、
前記決定遅延（τ）は、τ≧３であることを特徴とする請求項１に記載の光記録再生装置の等化装置。
【請求項５】
入力信号のシンボル間干渉のうちのプレカーシブをフィードフォワードフィルタにより除去するステップと、
前記シンボル間干渉のうちのポストカーシブをフィードバックフィルタにより予測してその予測結果を出力するステップと、
前記プレカーシブが除去された信号および前記ポストカーシブが予測された信号を加算してシンボル間干渉を除去する第１加算ステップおよび第２の加算ステップと、
前記第１の加算ステップで出力される信号のレベルを所定のレベルに決定し、レベルが決定された信号を前記フィードバックフィルタにフィードバックするステップと、
前記第２の加算ステップで出力される信号をトレリス構造方式およびツリー構造方式のうちの少なくともいずれか１つによって所定の信号として検出するステップと、
を含むことを特徴とする光記録再生装置の等化方法。
【請求項６】
前記第１の加算ステップの出力信号および前記レベルが決定された信号を用いて等化誤り値を算出して前記フォワードフィルタおよびフィードバックフィルタのそれぞれのタップ係数をアップデートするステップをさらに含むことを特徴とする請求項５に記載の光記録再生装置の等化方法。
【請求項７】
前記検出するステップの出力信号は、前記光記録再生装置の基準クロック周期に対応して所定個数の遅延素子によって一定時間遅延して出力され、一定時間経過した後は、前記基準クロック周期に同期を合わせて出力されることを特徴とする請求項５に記載の光記録再生装置の等化方法。
【請求項８】
前記トレリス構造方式およびツリー構造方式は、所定の決定遅延（τ）を有し、
前記決定遅延（τ）は、τ≧３であることを特徴とする請求項５に記載の光記録再生装置の等化方法。
【請求項９】
入力信号のシンボル間干渉のうちのプレカーシブを除去するフォワードフィルタを有するＦＦ部と、
前記シンボル間干渉のうちポストカーシブを予測してその予測結果を出力するフィードバックフィルタを有するＦＢ部と、
前記ＦＦ部および前記ＦＢ部の出力信号を加算してシンボル間干渉を除去する第１加算部および第２の加算部と、
前記第２の加算部の出力信号をトレリス構造方式およびツリー構造方式のうちの少なくともいずれか１つによって所定の信号を検出し、検出された前記所定の信号を前記ＦＢ部にフィードバックする信号検出部と、を備え、
前記ＦＢ部は、一定時間経過した後から、前記信号検出部からフィードバックされた前記所定の信号に基づいて前記ポストカーシブを予測することを特徴とする光記録再生装置の等化装置。
【請求項１０】
前記第１の加算部の出力信号のレベルを所定のレベルに決定し、レベルが決定された信号を前記ＦＢ部にフィードバックするレベル決定部と、
前記第１の加算部の出力信号および前記レベル決定部で前記レベルが決定された信号を用いて等化誤り値を算出する誤り算出部と、をさらに備え
前記ＦＦ部および前記ＦＢ部は、前記等化誤り値に基づいて前記フォワードフィルタおよび前記フィードバックフィルタのそれぞれのタップ係数をアップデートすることを特徴とする請求項９に記載の光記録再生装置の等化装置。
【請求項１１】
前記信号検出部は、
前記光記録再生装置の基準クロック周期に対応して所定個数の遅延素子を有し、
前記信号検出部の出力信号は、一定時間遅延して出力され、一定時間経過した後は、前記基準クロック周期に同期を合わせて出力されることを特徴とする請求項９に記載の光記録再生装置の等化装置。
【請求項１２】
前記トレリス構造方式およびツリー構造方式は、所定の決定遅延（τ）を有し、
前記決定遅延（τ）は、τ≧３であることを特徴とする請求項９に記載の光記録再生装置の等化装置。
【請求項１３】
入力信号のシンボル間干渉のうちのプレカーシブをフィードフォワードフィルタにより除去するステップと、
前記シンボル間干渉のうちのポストカーシブをフィードバックフィルタにより予測してその予測結果を出力するステップと、
前記プレカーシブが除去された信号と、前記ポストカーシブが予測された信号とを加算してシンボル間干渉を除去する第１加算ステップおよび第２の加算ステップと、
前記第２の加算ステップの出力信号をトレリス構造方式およびツリー構造方式のうちの少なくともいずれか１つによって所定の信号として検出し、検出された前記所定の信号を前記フィードバックフィルタにフィードバックする第１のフィードバックステップと、を含み、
前記第１のフィードバックステップは、一定時間経過した後から検出された前記所定の信号を前記フィードバックフィルタに入力することを特徴とする光記録再生装置の等化方法。
【請求項１４】
前記第１の加算ステップの出力信号のレベルを所定のレベルに決定し、レベルが決定された信号を前記ＦＢ部にフィードバックする第２のフィードバックステップと、
前記第１の加算部の出力信号および前記決定された信号を用いて等化誤り値を算出し、前記フォワードフィルタおよび前記フィードバックフィルタのそれぞれのタップ係数をアップデートするステップと、
をさらに含むことを特徴とする請求項１３に記載の光記録再生装置の等化方法。
【請求項１５】
前記第２のフィードバックステップの出力信号は、
前記光記録再生装置の基準クロック周期に対応して所定個数の遅延素子によって一定時間遅延して出力され、一定時間経過した後は、前記基準クロック周期に同期を合わせて出力されることを特徴とする請求項１４に記載の光記録再生装置の等化方法。
【請求項１６】
前記トレリス構造方式および前記ツリー構造方式は、所定の決定遅延（τ）を有し、
前記決定遅延（τ）は、τ≧３であることを特徴とする請求項１３に記載の光記録再生装置の等化装置。
【発明の詳細な説明】
【技術分野】
【０００１】
本発明は、光記録再生装置に関し、より詳しくは、記録媒体に記録されたデータを再生する再生装置において、チャネルを通過した再生信号のシンボル間干渉（ＩＳＩ：Ｉｎｔｅｒ Ｓｙｍｂｌｅ Ｉｎｔｅｒｆｅｒｅｎｃｅ）を除去する等化装置およびその等化方法に関する。
【背景技術】
【０００２】
マルチメディア情報時代の開幕で大容量デジタルデータの格納と転送に対する要求が増大し、近年、ＤＶＤなどの光記録媒体に関する研究が盛んに行われている。現在、ＤＶＤ市場は、ＤＶＤ−ＲＯＭを採用しているパソコンメーカーやＤＶＤ−Ｖｉｄｅｏを推進している家電メーカーを中心に成長してきている。その他にも、一回の記録が可能なＤＶＤ−Ｒ、繰り返して記録可能なＤＶＤ−ＲＷ（ｒｅｗｒｉｔａｂｌｅ）、ＤＶＤ−ＲＡＭ（ｒａｎｄｏｍ ａｃｃｅｓｓ ｍｅｍｏｒｙ）が市場に出ており、その応用分野が広くなりつつある。また、ＨＤＴＶ時代に備える研究が盛んに行われている。ＨＤ−ＤＶＤは、ＣＤ、ＤＶＤと同様なサイズを有するが、１５ＧＢ以上の格納能力を有する。かかる高密度チャネルは、青色レーザー、一層小さなトラックピッチおよび最小ピット長さを使用することで可能となる。しかし、前述のようにチャネルの情報密度が増加するにつれて信号のシンボル間干渉（ＩＳＩ）が増加してしまい、再生信号の品質が低下し、および記録されたデータの正確な再生が困難となる。
【０００３】
前記の問題を解決するため、従来は、次のようなＤＦＥ（Ｄｅｃｉｓｉｏｎ Ｆｅｅｄｂａｃｋ Ｅｑｕａｌｉｚｅｒ）の等化過程を経ることで、チャネルを介してシンボル間干渉（ＩＳＩ）の発生した再生データを正常の再生データとして出力している。
【０００４】
図１は、従来の光記録再生装置の再生信号に発生するシンボル間干渉（ＩＳＩ）を除去するための一般のＤＦＥ構造の等化器を示す概略的なブロック図である。
【０００５】
等化器１０は、ＦＦ部１１、ＦＢ部１２、加算部１３、レベル決定部１４、誤り算出部１５などを備える。
【０００６】
ＦＦ部１１は、フィードフォワードフィルタ（ＦｅｅｄＦｏｒｗａｒｄ Ｆｉｌｔｅｒ）を有し、再生信号のシンボル間干渉（ＩＳＩ）のうちのプレカーシブ（ｐｒｅ−ｃｕｒｓｉｖｅ）を除去する。
【０００７】
ＦＢ部１２は、フィードバックフィルタ（Ｆｅｅｄｂａｃｋ Ｆｉｌｔｅｒ）を有し、再生信号のシンボル間干渉（ＩＳＩ）のうちのポストカーシブ（ｐｏｓｔ−ｃｕｒｓｉｖｅ）を予測する。
【０００８】
加算部１３は、ＦＦ部１１でプレカーシブの除去された再生信号と、ＦＢ部１２でポストカーシブが予測された再生信号とを加算して、シンボル間干渉が除去された信号を出力する。
【０００９】
レベル決定部（ｓｌｉｃｅｒ）１４は、加算部１３で加算された信号のレベルを所定のレベルに決定する。レベル決定部１４でレベルが決定された信号は、ＦＢ部１２にフィードバックされる。
【００１０】
誤り算出部１５は、加算部１３から出力される信号およびレベル決定部１４から出力される信号を用いて等化誤り値を算出する。この算出された等化誤り値は、ＦＦ部１１およびＦＢ部１２に入力され、ＦＦ部１１およびＦＢ部１２は、入力された等化誤り値に基づいてそれぞれのフィルタタップ係数をアップデートする。
【００１１】
前述のような従来のＤＦＥ構造の等化器は、比較的短いタップで速い等化速度を有する長所があるが、フィードバックフィルタに入力される信号、即ち、レベル決定部１４で決定されたレベルの信号に対する信頼性が低下するため、等化性能が良くないという短所がある。
【００１２】
かかるＤＦＥ構造の等化器の短所を改善するため、ＦＤＴＳ／ＤＦ（Ｆｉｘｅｄ Ｄｅｌａｙ Ｔｒｅｅ Ｓｅａｒｃｈ ｗｉｔｈ Ｄｅｃｉｓｉｏｎ Ｆｅｅｄｂａｃｋ）方式およびＦＤＴｒＳ／ＤＦ（Ｆｉｘｅｄ Ｄｅｌａｙ Ｔｒｅｌｌｉｓ Ｓｅａｒｃｈ ｗｉｔｈ Ｄｅｃｉｓｉｏｎ Ｆｅｅｄｂａｃｋ）方式により決定されたレベルの信号をフィードバックフィルタに入力させる、図２に示されたような等化器２０が使用されている。
【００１３】
等化器２０は、ＦＤＴＳ／ＤＦまたはＦＤＴｒＳ／ＤＦ方式の信号検出部２６が付加された、図１に示された等化器（ＤＦＥ）１０を備える。
【００１４】
ＦＦ（Ｆｅｅｄ Ｆｏｒｗａｒｄ）部２１は、フィードフォワードフィルタにより再生信号からプレカーシブ（ｐｒｅ−ｃｕｒｓｉｖｅ）を除去する。
【００１５】
ＦＢ（ＦｅｅｄＢａｃｋ）部２２は、フィードバックフィルタによって、入力信号、即ち、再生信号のシンボル間干渉（ＩＳＩ）のうちのポストカーシブ（ｐｏｓｔ−ｃｕｒｓｉｖｅ）を予測して出力する。
【００１６】
第１の加算部２３は、ＦＦ部２１でプレカーシブが除去された信号と、ＦＢ部２２でポストカーシブが予測された信号とを加算して、入力信号のシンボル間干渉（ＩＳＩ）を除去する。
【００１７】
レベル決定部２４は、第１の加算部２３から出力される信号を所定のレベルに決定して出力し、誤り算出部２５は、第１の加算部２３から出力される信号およびレベル決定部２４から出力される信号に基づいて等化誤り値を算出する。この算出された等化誤り値は、ＦＦ部２１およびＦＢ部２２に入力され、ＦＦ部２１およびＦＢ部２２は、入力された等化誤り値に基づいてそれぞれのフィルタタップ係数をアップデートする。
【００１８】
信号検出部２６は、所定の決定遅延（τ）を有するＦＤＴＳ／ＤＦ方式およびＦＤＴｒＳ／ＤＦ方式のいずれか１つの方式を用いてレベルが決定されたτ個の信号を出力し、決定されたレベルを有する信号は、ＦＢ部２２にフィードバックされる。ＦＢ部２２は、ポストカーシブのうちτ個だけのポストカーシブを除いた残りのポストカーシブを予測して第２の加算部２７へ出力する。
【００１９】
第２の加算部２７は、ＦＦ部２１でプレカーシブが除去された信号を、ＦＢ部２２で信号検出部２６のフィードバック信号に基づいて予測されたポストカーシブに加算して出力する。第２の加算部２７から出力された信号は、信号検出部２６に入力され、所定のレベルの信号として出力される。
【００２０】
以上のような構成を備える従来の等化器は、信号検出部２６のＦＤＴＳ／ＤＦまたはＦＤＴｒＳ／ＤＦ方式により決定されたレベルで、信号をフィードバックフィルタに入力させることによって等化性能を向上させることができる。しかし、ＦＤＴＳ／ＤＦまたはＦＤＴｒＳ／ＤＦ方式の信号検出部２６の動作特性によって付加的な計算量が増加することによって、信号レベルの決定に時間遅延が多く発生する。従って、等化器の全体的な動作速度が低下するという問題点がある。
【発明の開示】
【発明が解決しようとする課題】
【００２１】
本発明は、前述のような問題点を解決するためになされたものであって、本発明の目的は、動作速度が向上したＦＤＴＳ／ＤＦまたはＦＤＴｒＳ／ＤＦ方式の信号検出部を有する光記録再生装置の等化装置およびその等化方法を提供することにある。
【課題を解決するための手段】
【００２２】
前記の目的を達成するため、本発明の一実施形態に係る光記録再生装置の等化装置は、入力信号のシンボル間干渉のうちのプレカーシブを除去するフォワードフィルタを有するＦＦ部と、前記シンボル間干渉のうちのポストカーシブを予測してその予測結果を出力するフィードバックフィルタを有するＦＢ部と、前記ＦＦ部からの出力信号と前記ＦＢ部からの出力信号を加算してシンボル間干渉を除去する第１加算部および第２の加算部と、前記第１の加算部からの出力信号のレベルを所定のレベルに決定し、レベルが決定された信号を前記ＦＢ部にフィードバックするレベル決定部と、前記第２の加算部でシンボル間干渉が除去された信号をトレリス構造方式およびツリー構造方式のうちの少なくともいずれか１つによって所定の信号として出力する信号検出部とを備えることを特徴とする。
【００２３】
前記第１の加算部の出力信号および前記レベル決定部の前記レベルが決定された信号を用いて等化誤り値を算出する誤り算出部をさらに備え、前記ＦＦ部および前記ＦＢ部は、前記等化誤り値に基づいて前記フォワードフィルタおよび前記フィードバックフィルタのそれぞれのタップ係数をアップデートする。
【００２４】
前記信号検出部は、前記光記録再生装置の基準クロック周期に対応して所定個数の遅延素子を有し、これによって、前記信号検出部の出力信号は、一定時間遅延して出力され、一定時間経過した後は、前記基準クロック周期に同期を合わせて出力される。
【００２５】
好ましくは、前記トレリス構造方式および前記ツリー構造方式は、所定の決定遅延（τ）を有し、前記決定遅延（τ）は、τ３である。
【００２６】
前述の一実施形態に係る光記録再生装置の等化方法は、入力信号のシンボル間干渉のうちのプレカーシブをフォワードフィルタにより除去するステップと、前記シンボル間干渉のうちのポストカーシブをフィードバックフィルタにより予測してその予測結果を出力するステップと、前記プレカーシブが除去された信号および前記ポストカーシブが予測された信号を加算してシンボル間干渉を除去する第１の加算ステップおよび第２の加算ステップと、前記第１の加算ステップで出力される信号のレベルを所定のレベルに決定し、レベルが決定された信号を前記フィードバックフィルタにフィードバックするステップと、前記第２の加算ステップで出力される信号をトレリス構造方式およびツリー構造方式のうちの少なくともいずれか１つによって所定の信号として検出するステップと、を含むことを特徴とする。
【００２７】
前記第１の加算ステップの出力信号と前記レベルが決定された信号とを用いて等化誤り値を算出して前記フォワードフィルタおよびフィードバックフィルタのそれぞれのタップ係数をアップデートするステップをさらに含む。
【００２８】
前記検出ステップの出力信号は、前記光記録再生装置の基準クロック周期に対応する所定個数の遅延素子によって一定時間遅延して出力され、一定時間経過した後は、前記基準クロック周期に同期を合わせて出力される。
【００２９】
好ましくは、前記トレリス構造方式およびツリー構造方式は、所定の決定遅延（τ）を有し、前記決定遅延（τ）は、τ≧３である。
【００３０】
上記の目的を達成するための本発明の他の実施形態に係る光記録再生装置の等化装置は、入力信号のシンボル間干渉のうちのプレカーシブを除去するフォワードフィルタを有するＦＦ部と、前記シンボル間干渉のうちのポストカーシブを予測してその予測結果を出力するフィードバックフィルタを有するＦＢ部と、前記ＦＦ部および前記ＦＢ部の出力信号を加算してシンボル間干渉を除去する第１加算部および第２の加算部と、前記第２の加算部の出力信号をトレリス構造方式およびツリー構造方式のうちの少なくともいずれか１つによって所定の信号を検出し、検出された前記所定の信号を前記ＦＢ部にフィードバックする信号検出部とを備え、前記ＦＢ部は、一定時間経過した後から前記信号検出部からフィードバックされた前記所定の信号に基づいて前記ポストカーシブを予測することを特徴とする 。
【００３１】
また、前記第１の加算部の出力信号のレベルを所定のレベルに決定し、レベルが決定された信号を前記ＦＢ部にフィードバックするレベル決定部と、前記第１の加算部の出力信号および前記レベル決定部で前記レベルが決定された信号を用いて等化誤り値を算出する誤り算出部とをさらに備え、前記ＦＦ部および前記ＦＢ部は、前記等化誤り値に基づいて前記フォワードフィルタおよび前記フィードバックフィルタのそれぞれのタップ係数をアップデートする。
【００３２】
前記信号検出部は、前記光記録再生装置の基準クロック周期に対応して所定個数の遅延素子を有し、前記信号検出部の出力信号は、前記所定個数の遅延素子によって、一定時間遅延して出力され、一定時間経過した後は、前記基準クロック周期に同期を合わせて出力される。
【００３３】
好ましくは、前記トレリス構造方式およびツリー構造方式は、所定の決定遅延（τ）を有し、前記決定遅延（τ）は、τ≧３である。
【００３４】
前述の他の実施形態に係る光記録再生装置の等化方法は、入力信号のシンボル間干渉のうちのプレカーシブをフォワードフィルタにより除去するステップと、前記シンボル間干渉のうちのポストカーシブをフィードバックフィルタにより予測してその予測結果を出力するステップと、前記プレカーシブが除去された信号および前記ポストカーシブが予測された信号を加算してシンボル間干渉を除去する第１の加算ステップおよび第２の加算ステップと、前記第２の加算ステップの出力信号をトレリス構造方式およびツリー構造方式のうちの少なくともいずれか１つによって所定の信号として検出し、検出された前記所定の信号を前記フィードバックフィルタにフィードバックする第１のフィードバックステップとを含み、前記第１のフィードバックステップは、一定時間経過した後から検出された前記所定の信号を前記フィードバックフィルタに入力することを特徴とする。
【００３５】
また、前記第１の加算ステップの出力信号を所定のレベルに決定し、レベルが決定された信号を前記ＦＢ部にフィードバックする第２のフィードバックステップと、前記第１の加算部の出力信号と前記レベルが決定された信号とを用いて等化誤り値を算出し、前記フォワードフィルタおよび前記フィードバックフィルタのそれぞれのタップ係数をアップデートするステップとをさらに含む。
【００３６】
前記第２のフィードバックステップの出力信号は、前記光記録再生装置の基準クロック周期に対応する所定個数の遅延素子によって一定時間遅延して出力され、一定時間経過した後は、前記基準クロック周期に同期を合わせて出力される。
【００３７】
好ましくは、前記トレリス構造方式および前記ツリー構造方式は、所定の決定遅延（τ）を有し、前記決定遅延（τ）は、τ≧３である。
従って、高速の等化速度および向上した等化性能を有する等化装置が実現される。
【発明の効果】
【００３８】
本発明によれば、光記録再生装置の等化装置において、一般のＤＦＴ構造の等化器に比べて向上した等化性能を有し、ＦＤＴＳ／ＤＦまたはＦＤＴｒＳ／ＤＦ方式による等化器に比べて向上した等化速度を有することができる。従って、高速の等化速度および向上した等化性能を有する等化装置が実現される。
【発明を実施するための最良の形態】
【００３９】
以下、図面を参照して本発明を詳述する。
【実施形態】
【００４０】
図３は、本発明に係る等化装置を有する光記録再生装置において、動作モードに対応して記録経路３００と再生経路４００とに分離した光記録再生装置の全体的なシステムを示すブロック図である。
【００４１】
光記録経路（Ｐａｔｈ）３００は、音声（Ａｕｄｉｏ）信号および映像（Ｖｉｄｅｏ）信号をＡ／Ｄ変換するＡ／Ｄ変換器３１１と、前記Ａ／Ｄ変換された信号をＭＰＥＧ形式にエンコードするＭＰＥＧ Ａ／Ｖエンコーダ３１２と、ＭＰＥＧ形式にエンコードされた信号に誤り訂正のための符号化を行うＥＣＣエンコーダ３１３と、ベースバンド信号を転送に適合するように変調するための変調コードエンコーダ３１４と、転送誤り防止のためのＮＲＺＩ（Ｎｏｎ Ｒｅｔｕｒｎ Ｔｏ Ｚｅｒｏ Ｉｎｖｅｒｓｅ）エンコーダ３１５と、光記録媒体３２０の特性に基づいて記録波形を生成する記録波形生成部３１６と、記録波形により光ダイオードを駆動するＬＤ駆動部３１７と、データの記録時に同期を合わせるための記録用ＰＬＬ（Ｐｈａｓｅ Ｌｏｃｋｅｄ Ｌｏｏｐ）３１８とを備える。
【００４２】
また、再生経路（Ｐａｔｈ）４００は、光記録媒体３２０に格納されたデータを読んで増幅する高周波アンプ（ＲＦ Ａｍｐ）４１１と、高周波増幅された信号の利得を制御するためのＡＧＣ回路部４１２と、前置等化器（ＰｒｅＥＱ）４１３と、前置等化器４１３の出力を微分する微分器４１４と、再生時において同期検出のための再生用ＰＬＬ４１５と、利得制御された信号をＡ／Ｄ変換するＡ／Ｄ変換器４１６と、ＦＤＴＳ／ＤＦまたはＦＤＴｒＳ／ＤＦ方式の等化器４１７と、変調エンコードされた信号を復号する変調コードデコーダ４１８と、ＥＣＣエンコードされた信号を復号するためのＥＣＣデコーダ４１９と、ＭＰＥＧ形式にエンコードされた信号を復号するためのＭＰＥＧ Ａ／Ｖデコーダ４２１と、ＭＰＥＧデコードされた音声・映像信号をＤ／Ａ変換して出力するためのＤ／Ａ変換器４２３とを備える。
【００４３】
図４は、図３の本発明の光記録再生装置の等化装置１００に係る一実施形態を説明するブロック図である。
等化装置１００は、ＦＦ部１１０、ＦＢ部１２０、第１の加算部１３０、レベル決定部１４０、誤り算出部１５０、第２の加算部１７０、信号検出部１６０などを備えている。
【００４４】
ＦＦ部１１０は、フィードフォワードフィルタ（ＦｅｅｄＦｏｒｗａｒｄ Ｆｉｌｔｅｒ）を有し、再生信号のシンボル間干渉（ＩＳＩ）のうちのプレカーシブ（ｐｒｅ−ｃｕｒｓｉｖｅ）を除去する。
【００４５】
ＦＢ部１２０は、フィードバックフィルタ（Ｆｅｅｄｂａｃｋ Ｆｉｌｔｅｒ）を有し、レベル決定部１４０からフィードバックされた信号に基づいてシンボル間干渉（ＩＳＩ）のうちのポストカーシブ（ｐｏｓｔ−ｃｕｒｓｉｖｅ）を予測して出力する。即ち、ＦＢ部１２０は、レベル決定部２４からフィードバックされた信号に基づいて全てのポストカーシブを予測して出力する。
【００４６】
第１の加算部１３０および第２の加算部１７０は、ＦＦ部１１０でプレカーシブが除去された信号と、ＦＢ部１２０でポストカーシブが予測された信号とを加算してシンボル間干渉（ＩＳＩ）を除去する。
【００４７】
レベル決定部１４０は、第１の加算部１３０から出力される信号を所定のレベルに決定してＦＢ部１２０および誤り算出部１５０に入力する。
【００４８】
誤り算出部１５０は、第１の加算部１３０から出力される信号およびレベル決定部１４０から出力される信号に基づいて等化誤り値を算出する。この算出された等化誤り値は、ＦＦ部１１０およびＦＢ部１２０に入力され、ＦＦ部１１０およびＦＢ部１２０は、入力された等化誤り値に基づいてそれぞれのフィルタタップ係数をアップデートする。
【００４９】
信号検出部１６０は、決定遅延（τ）がτ≧３であるＦＤＴＳ／ＤＦ（Ｆｉｘｅｄ Ｄｅｌａｙ Ｔｒｅｅ Ｓｅａｒｃｈ ｗｉｔｈ Ｄｅｃｉｓｉｏｎ Ｆｅｅｄｂａｃｋ）方式およびＦＤＴｒＳ／ＤＦ（Ｆｉｘｅｄ Ｄｅｌａｙ Ｔｒｅｌｌｉｓ Ｓｅａｒｃｈ ｗｉｔｈ Ｄｅｃｉｓｉｏｎ Ｆｅｅｄｂａｃｋ）方式のいずれか１つの方式を用い、信号検出部１６０は、光記録再生装置の基準クロック周期に対応して所定個数の遅延素子（図示せず）を備える。即ち、信号検出部１６０が動作する時間と光記録再生装置の基準クロック周期とを比較して、その比較結果に対応して所定個数の遅延素子（図示せず）を信号検出部１６０内に設けることにより、信号検出部１６０の出力信号は、所定個数の遅延素子により一定時間遅延されて出力されるが、基準クロック周期に同期を合わせて出力される。従って、等化器１００の動作速度を向上させることができる。なお、信号検出部１６０に入力される信号は、第２の加算部１７０から出力されたシンボル間干渉（ＩＳＩ）が除去された信号である。
【００５０】
図５は、図４に示された等化装置１００の等化方法のステップを示すフローチャートであり、同図に基づいて等化過程を以下に詳述する。
【００５１】
光記録再生装置により光記録媒体に記録されたデータに関する再生信号が等化装置１００に入力される（Ｓ５１１）。入力信号は、シンボル間干渉（ＩＳＩ）によって生じたプレカーシブおよびポストカーシブを含む。ＦＦ部１１０は、入力される再生信号のプレカーシブを除去する。ＦＢ部１２０は、レベル決定部１４０により所定のレベルに決定された信号に基づいてシンボル間干渉（ＩＳＩ）のポストカーシブを予測して出力する（Ｓ５１３）。第２の加算部１７０は、ＦＦ部１１０とＦＢ部１２０のそれぞれの出力信号を加算し（Ｓ５１５）、加算された信号は、信号検出部１６０に入力される。信号検出部１６０は、設定された決定遅延（τ）に応じてＦＤＴ／ＤＦまたはＦＤＴｒＳ／ＤＦ方式で所定の信号を決定する（Ｓ５１７）。この時、信号検出部１６０からは、光記録再生装置の基準となるクロック周期に対応して設けられた所定個数の遅延素子（図示せず）の分だけ入力信号が一定時間遅延して出力される。
【００５２】
なお、ＦＦ部１１０とＦＢ部１２０から出力される信号を第１の加算部１３０で加算し、加算された信号は、レベル決定部１４０に入力される。誤り算出部１５０では、第１の加算部１３０から出力された信号とレベル決定部１４０から出力された信号に基づいて等化誤り値を算出してＦＦ部１１０とＦＢ部１２０に提供する。ＦＦ部１１０およびＦＢ部１２０は、入力された等化誤り値に基づいてそれぞれのフィルタタップ係数を調整することで等化される。
【００５３】
即ち、等化装置１００は、第２の加算部１７０で加算された信号を信号検出部１６０に入力させ、ＦＤＴＳ／ＤＦ方式またはＦＤＴｒＳ／ＤＦ方式で信頼性の向上した信号を決定することにより、従来のＤＦＥ構造の等化器に比べて等化性能を向上させることができる。
【００５４】
また、等化装置１００において、信号検出部１６０にシステムクロックに対応する所定個数の遅延素子（図示せず）を設けることで、ＤＦＥ構造の長所である速い等化速度を得ることが可能となる。
【００５５】
図６は、本発明に係る等化装置の他の実施形態を示す概略的なブロック図である。
等化装置２００は、ＦＦ部２１０、ＦＢ部２２０、第１の加算部２３０、レベル決定部２４０、誤り算出部２５０、第２の加算部２７０、信号検出部２６０などを備えている。
【００５６】
ＦＦ部２１０は、フィードフォワードフィルタ（ＦｅｅｄＦｏｒｗａｒｄ Ｆｉｌｔｅｒ）を有し、再生信号のシンボル間干渉（ＩＳＩ）のうちのプレカーシブ（ｐｒｅ−ｃｕｒｓｉｖｅ）を除去する。
【００５７】
ＦＢ部２２０は、フィードバックフィルタ（Ｆｅｅｄｂａｃｋ Ｆｉｌｔｅｒ）を有し、レベル決定部２４０および信号検出部２６０からフィードバックされた信号に基づいてシンボル間干渉（ＩＳＩ）のうちのポストカーシブ（ｐｏｓｔ−ｃｕｒｓｉｖｅ）を予測して出力する。ＦＢ部２２０は、レベル決定部２４０からフィードバックされた信号に基づいてシンボル間干渉（ＩＳＩ）の全てのポストカーシブを予測して出力し、信号検出部２６０からフィードバックされた信号に基づいて全てのポストカーシブのうちの決定遅延（τ）の分だけを除いたポストカーシブのみを予測して出力する。
【００５８】
第１の加算部２３０は、ＦＦ部２１０でプレカーシブが除去された信号およびＦＢ部２２０で予測されたポストカーシブを加算してシンボル間干渉（ＩＳＩ）を除去する。なお、予測されたポストカーシブは、レベル決定部２４０からフィードバックされた信号に基づいて予測された全てのポストカーシブである。
【００５９】
レベル決定部２４０は、第１の加算部２３０から出力される信号のレベルを所定のレベルに決定してＦＢ部２２０および誤り算出部２５０に入力する。
【００６０】
誤り算出部２５０は、第１の加算部２３０から出力される信号と、レベル決定部２４０から出力される信号とに基づいて等化誤り値を算出する。この算出された等化誤り値は、ＦＦ部２１０およびＦＢ部２２０に入力され、ＦＦ部２１０およびＦＢ部２２０は、入力された等化誤り値に基づいてそれぞれのフィルタタップ係数をアップデートする。
【００６１】
信号検出部２６０は、光記録再生装置の基準クロック周期に対応する所定個数の遅延素子（図示せず）を備え、決定遅延（τ）がτ≧３であるＦＤＴＳ／ＤＦ方式およびＦＤＴｒＳ／ＤＦ方式のいずれか１つの方式により決定された信号を出力する。この時、信号検出部２６０の出力信号は、所定個数の遅延素子により一定時間遅延して出力され、一定時間経過した後は、基準クロック周期に合わせて出力されるため、等化器２００の動作速度が向上する。前述のように、信号検出部２６０からの出力信号は、一定時間経過した後は、ＦＢ部２３０にフィードバックされる。
【００６２】
即ち、ＦＢ部２２０は、一定時間の間は、レベル決定部２４０からフィードバックされる信号に基づいて全てのポストカーシブを予測し、一定時間経過した後からは、信号検出部２６０からフィードバックされる信号に基づいて決定遅延（τ）分だけを除いたポストカーシブを予測する。
【００６３】
第２の加算部２７０は、ＦＦ部２１０でプレカーシブが除去された信号と、ＦＢ部２２０で信号検出部２６０からのフィードバック信号に基づいて予測されたポストカーシブとを加算してシンボル間干渉（ＩＳＩ）を除去する。第２の加算部２７０から出力された信号は、信号検出部２６０に入力され、所定の信号として出力される。
【００６４】
図７は、図６に示された等化装置２００の等化方法のステップを説明するフローチャートであり、同図を参照して等化過程を詳述する。
【００６５】
光記録再生装置により光記録媒体に記録されたデータの再生信号が等化装置２００に入力される（Ｓ７１１）。入力された再生信号は、シンボル間干渉（ＩＳＩ）によて生じたプレカーシブとポストカーシブを含む。ＦＦ部２１０は、入力される再生信号のプレカーシブを除去する（Ｓ７１３）。ＦＢ部２２０は、一定時間の間は、レベル決定部２４０からフィードバックされる信号に基づいて全ポストカーシブを予測して出力し、一定時間経過した後からは、信号検出部２６０からフィードバックされた信号に基づいてポストカーシブを予測して出力する（Ｓ７１７）。第２の加算部２７０は、ＦＦ部２１０とＦＢ部２２０の出力信号を加算し（Ｓ７１９）、加算された信号は、信号検出部２６０に入力される。信号検出部２６０は、設定された決定遅延（τ）に応じてＦＤＴＳ／ＤＦまたはＦＤＴｒＳ／ＤＦ方式で所定の信号を決定する（Ｓ７２１）。
【００６６】
なお、ＦＦ部２１０とＦＢ部２２０から出力される信号を第１の加算部２３０で加算し、加算された信号は、レベル決定部２４０に入力される。誤り算出部２５０では、第１の加算部２３０から出力された信号と、レベル決定部２４０から出力された信号とに基づいて等化誤り値を算出してＦＦ部２１０とＦＢ部２２０に提供する。ＦＦ部２１０およびＦＢ部２２０は、入力された等化誤り値に基づいてそれぞれのフィルタタップ係数を調整することで等化する。
【００６７】
従って、ＦＢ部２２０が、信号検出部２６０により決定された、より正確な信号に基づいてポストカーシブを除去することにより、等化性能を向上させることが可能となる。また、信号検出部２６０に設けられた所定個数の遅延素子により動作速度を向上させることができる。
【００６８】
即ち、従来のＦＤＴＳ／ＤＦ方式またはＦＤＴｒＳ／ＤＦ方式の等化器の長所である等化性能の向上を得ながらも短所である等化速度の低下を防止することが可能となる。
【００６９】
以上、図面を参照して本発明の好適な実施形態を図示および説明してきたが、本発明の保護範囲は、前述の実施形態に限定するものではなく、特許請求の範囲に記載された発明とその均等物にまで及ぶものである。
【産業上の利用可能性】
【００７０】
本発明は、光記録媒体に記録されたデータを再生する光記録再生装置においてチャネルを通過した再生信号のシンボル間干渉（ＩＳＩ）を除去する等化装置に適用可能である。
【図面の簡単な説明】
【００７１】
【図１】従来の一般のＤＦＥ構造の等化器を示す概略的なブロック図である。
【図２】従来のＦＤＴＳ／ＤＦまたはＦＤＴｒＳ／ＤＦ方式を適用した等化器を示す概略的なブロック図である。
【図３】本発明に係る等化装置を有する光記録再生装置の全般的な構造を示す構成図である。
【図４】本発明の一実施形態に係る等化装置１００を示す概略的なブロック図である。
【図５】図４の等化装置１００の動作を示すフローチャートである。
【図６】本発明の他の実施形態に係る等化装置２００を示す概略的なブロック図である。
【図７】図６の等化装置２００の動作を示すフローチャートである。
【符号の説明】
【００７２】
１１０，２１０      ＦＦ部
１２０，２２０      ＦＢ部
１３０，２３０      第１の加算部
１４０，２４０      レベル決定部
１５０，２５０      誤り算出部
１６０，２６０      信号検出部
１７０，２７０      第２の加算部
【図１】
2004227755.tif 000003
【図２】
2004227755.tif 000004
【図３】
2004227755.tif 000005
【図４】
2004227755.tif 000006
【図５】
2004227755.tif 000007
【図６】
2004227755.tif 000008
【図７】
2004227755.tif 000009